(57)【特許請求の範囲】
【請求項１】
ステイオンタブ式缶蓋に備えられたタブに取り付けて、該タブによる缶蓋の開口操作を補助するステイオンタブ式缶蓋用開口補助部材であって、
前記タブの後端部に形成された指掛けリング部上に重合する所定の厚み寸法を有する板状部と、
該板状部に一体に設けられ、前記タブの指掛けリング部に係止する係止部と、前記板状部の後端縁に沿って指掛け可能な長さに延設され、該板状部をタブの指掛けリング部上に重合したとき前記缶蓋のパネル外周に起立する巻締ウォールとの間に指掛け可能な隙間を存してタブの指掛けリング部の後端縁よりも後方に突出する突出部とを備えることを特徴とするステイオンタブ式缶蓋用開口補助部材。
【請求項２】
前記突出部の突出方向先端面には、指掛け時に滑り止めとなる凹凸が形成されていることを特徴とする請求項１記載のステイオンタブ式缶蓋用開口補助部材。
【請求項３】
前記係止部は、前記タブの指掛けリング部の内周縁における少なくともタブ先端側に係止する第１爪片と、該指掛けリング部の外周の後端縁に係止する第２爪片とを備え、
該第１爪片及び第２爪片を該指掛けリング部にその上方から嵌め込んで前記板状部を指掛けリング部上に固定することを特徴とする請求項１又は２記載のステイオンタブ式缶蓋用開口補助部材。
【請求項４】
前記板状部が指掛けリング部上に重合されたとき、該板状部は、前記巻締ウォールの上縁よりも低い位置のパネル上にタブと共に収納されることを特徴とする請求項１乃至３の何れか１項記載のステイオンタブ式缶蓋用開口補助部材。
【発明の詳細な説明】
【０００１】
【発明の属する技術分野】
本発明は、ステイオンタブ式缶蓋のタブに取り付けて該タブによる開口操作を補助するステイオンタブ式缶蓋用開口補助部材に関する。
【０００２】
【従来の技術】
従来、この種のステイオンタブ式缶蓋は、缶蓋のパネルにリベットを介して取り付けられたタブを揺動させることによって、缶蓋パネルに刻設された不連続環状のスコアにより形成された破断開口部を開口する。即ち、該タブは、その先端部が破断開口部に臨み、開口操作時には、タブの後端縁に指先を掛けて引き上げることで、タブの先端部が破断開口部を押圧するようになっている。
【０００３】
しかし、この種のタブは缶蓋のパネル上面にリベットによって密着固定されているため強く引き起こさなければ開口できないだけでなく、該タブは厚み寸法が比較的薄く、タブの後端縁に指先を掛けることが困難であるため指の爪のみで引き起こさなければならず、指先に苦痛を伴う不都合がある。また、近年では、材料コストの削減により缶蓋の外径を小とすることが行なわれており、それに伴って、タブが比較的小さく形成されるため、タブの後端縁に指先を掛けることが一層困難となっている。このため、この種のステイオンタブ式缶蓋における開口作業では、指先にかかる負担が大きく、円滑な開口操作が行なえない不都合がある。
【０００４】
【発明が解決しようとする課題】
かかる不都合を解消して、本発明は、ステイオンタブ式缶蓋の開口時のタブ操作にかかる指先の負担を軽減し、円滑に開口操作を行なうことができるステイオンタブ式缶蓋用開口補助部材を提供することを目的とする。
【０００５】
【課題を解決するための手段】
かかる目的を達成するために、本発明は、ステイオンタブ式缶蓋に備えられたタブに取り付けて、該タブによる缶蓋の開口操作を補助するステイオンタブ式缶蓋用開口補助部材であって、前記タブの後端部に形成された指掛けリング部上に重合する所定の厚み寸法を有する板状部と、該板状部に一体に設けられ、前記タブの指掛けリング部に係止する係止部と、前記板状部の後端縁に沿って指掛け可能な長さに延設され、該板状部をタブの指掛けリング部上に重合したとき前記缶蓋のパネル外周に起立する巻締ウォールとの間に指掛け可能な隙間を存してタブの指掛けリング部の後端縁よりも後方に突出する突出部とを備えることを特徴とする。
【０００６】
本発明の開口補助部材は、ステイオンタブ式缶蓋を開口操作するときにタブの揺動を補助して缶蓋の開口を容易に行なえるようにしたものである。即ち、前記開口補助部材は、前記タブの指掛けリング部上に前記板状部を重合させ、該タブの指掛けリング部に前記係止部を係止させることによって、タブに取り付けられる。
【０００７】
タブに取り付けられた開口補助部材は、前記板状部が指掛けリング部上に重合されることにより、該板状部の後端縁に沿って延設された前記突出部が指掛けリング部の後端縁よりも後方に突出し、更に、前記板状部が所定の厚み寸法を有していることにより、タブの後端縁よりも高い位置（缶蓋のパネル上面からタブの厚み分を介した位置）に前記突出部が位置される。これによって、タブの後端縁に指先を掛けるときには、指の爪よりも高い位置で前記突出部が指先に当接されるので、指の爪のみでの引き起こし操作が回避され、指先の苦痛もなく円滑に指を掛けることができる。しかも、突出部と巻締ウォールとの間に指掛け可能な隙間が形成されているので、指掛け操作が巻締ウォールによって阻害されることが防止される。
【０００８】
そして、前記板状部は前記係止部によって指掛けリング部に係止されているので、前記突出部に指を掛けた状態でタブの後端部側を引き起こすことができ、比較的小さな力を付与するだけで、缶蓋を開口することができる。
【０００９】
また、本発明において、前記突出部の突出方向先端面には、指掛け時に滑り止めとなる凹凸が形成されていることを特徴とする。これによれば、前記突出部が指先に当接されたとき、指先と突出部との当接状態を滑り無く維持することができ、円滑に缶蓋の開口操作を行なうことができる。
【００１０】
また、本発明の前記係止部の好ましい態様は、前記タブの指掛けリング部の内周縁における少なくともタブ先端側に係止する第１爪片と、該指掛けリング部の外周の後端縁に係止する第２爪片とを備え、該第１爪片及び第２爪片を該指掛けリング部にその上方から嵌め込んで前記板状部を指掛けリング部上に固定する。
【００１１】
これにより、開口補助部材をタブに取り付ける際には、第１爪片及び第２爪片を指掛けリング部の上方から嵌め込んで容易に取り付けることができる。また、タブに取り付けた開口補助部材の前記突出部に指先を掛けて缶蓋の開口操作を行なうときには、指先による前記突出部への圧接方向が、指掛けリング部の内周縁への第１爪片の係止方向及び指掛けリング部の後端縁への第２爪片の係止方向と略同じ方向となるので、タブからの開口補助部材の離脱を防止することができる。
【００１２】
また、本発明においては、前記板状部が指掛けリング部上に重合されたとき、該板状部は、前記巻締ウォールの上縁よりも低い位置のパネル上にタブと共に収納されることが好ましい。これによって、開口補助部材がタブに取り付けられているときに、巻締ウォールの上方への板状部の突出が防止されるので、外部への接触による不用意な缶蓋の開口や開口補助部材の外れを防止することができる。
【００１３】
【発明の実施の形態】
本発明の一実施形態を図面に基づいて説明する。図１は本実施形態のステイオンタブ式缶蓋用開口補助部材を示す説明的平面図、図２は図１のII−II線断面説明図、図３は缶蓋の開口操作を示す説明図である。
【００１４】
本実施形態の開口補助部材１は、ポリプロピレン等の合成樹脂によって形成されており、図１及び図２に示すように、ステイオンタブ式缶蓋２のパネル３上に設けられているタブ４に取り付けられる。
【００１５】
タブ４は、図１に示すように、リベット５を介してパネル３上に揺動自在に連結され、その先端が缶蓋２のパネル３に刻設された開口スコア６による破断開口部７に臨み、後端部には指掛けリング部８が形成されている。また、缶蓋２には、図２に示すように、パネル３の周縁に沿って起立するシーミングウォール９が形成されている。
【００１６】
開口補助部材１は、図１及び図２に示すように、タブ４の指掛けリング部８に水平に重合される板状部１０と、該板状部１０の下面後端部に一体に形成され、指掛けリング部８に係止する係止部１１とを備えている。
【００１７】
前記板状部１０は、図１に示すように、平面視においてタブ４の指掛けリング部８の外周形状と略同一形状に形成されており、図２に示すように、所定の厚み寸法（本実施形態においては約１mm）を有している。更に、板状部１０には、その後端縁に沿って指掛けリング部８の後端縁より後方に突出する突出部１２が一体に形成されている。また、該突出部１２とシーミングウォール９との間には指掛け可能な隙間が形成されている。また、図２に示すように、突出部１２の突出方向の先端面には、断面視鋸刃状の凹凸１３が形成されている。
【００１８】
該板状部１０は、前記係止部１１をタブ４の指掛けリング部８に係止することによってタブ４上に固定される。該係止部１１は、指掛けリング部８の内周に前後方向に対向して係止する一対の第１爪片１４と、指掛けリング部８の後端縁に係止する第２爪片１５とによって構成されている。そして、タブ４上に固定された板状部１０は、シーミングウォール９よりも低い位置に収納され、外部との接触が防止されている。
【００１９】
以上のように構成された開口補助部材１を缶蓋２のタブ４に取り付けたとき、次に示すようにして、缶蓋２の開口操作を行なうことができる。
【００２０】
先ず、図３（ａ）に示すように、タブ４の後端とシーミングウォール９との間に指先を入れる。前記開口補助部材１は所定の厚み寸法を有しているため、突出部１２がタブ４よりも高い位置（パネル３から離間した位置）にあり、指先を該突出部１２に容易に当接することができる。更に、該突出部１２がタブ４の指掛けリング部８の後端縁よりも後方であって上方に突出することによって、指先が該突出部１２の下側に比較的深く入り、指先の当接面積を十分に確保することができる。
【００２１】
そして、図３（ｂ）に示すように、指先を該突出部１２に当接した状態で引き上げると、開口補助部材１と共にタブ４の指掛けリング部８が引き上げられ、タブ４が容易に揺動される。これにより、缶蓋２の破断開口部７がタブ４の先端に押圧されて、缶蓋２が開口される。このとき、前記板状部１０に突出部１２が形成されていることによって、板状部１０への指掛かりが良好であり、従来のように指の爪をタブ４の指掛けリング部８の後端縁に引っ掛けることなく、タブ４の引き上げ操作を行なうことができ、指先の苦痛を回避することができる。更に、突出部１２に凹凸１３が形成されていることにより、指先が滑ることもなく確実に引き上げ力をタブ４に伝達することができる。
【００２２】
また、板状部１０は、図２に示すように、前記係止部１１の第１爪片１４及び第２爪片１５によりタブ４の指掛けリング部８に係止されているので、タブ４の引き上げ操作時に指先による前記突出部１２への圧接方向が、指掛けリング部８の先端側内周縁に係止された第１爪片１４の係止方向及び指掛けリング部８の後端縁に係止された第２爪片１５の係止方向と略同じ方向となり、開口補助部材がタブから離脱することなく開口操作を行なうことができる。
【００２３】
このように、本実施形態の開口補助部材１を缶蓋２のタブ４に取り付けることにより、タブ操作にかかる指先の負担を軽減し、円滑な開口操作を行なうことができる。
【００２４】
なお、本実施形態においては、図２に示すように、前記突出部１２の先端面に凹凸１３を備えるものを示したが、前記突出部１２の突出量が比較的大である場合には、凹凸１３を形成しなくても十分に前記と同様の効果を得ることができる。
【００２５】
また、本実施形態の係止部１１を、少なくとも開口操作時に解除不能な強度で指掛けリング部８に脱離自在に係止させることにより、例えば、ゴミ処理等に際して缶蓋から開口補助部材１を取り外すことができ、材質による分別を容易に行なうことができる。
【００２６】
また、本実施形態の開口補助部材１はポリプロピレン等の合成樹脂によって形成されるが、これに限るものではなく、例えばタブ４と同じ金属材料によって形成しても良い。
【図面の簡単な説明】
【図１】本発明の一実施形態のステイオンタブ式缶蓋用開口補助部材を示す説明的平面図。
【図２】図１のII−II線断面説明図。
【図３】缶蓋の開口操作を示す説明図。
【符号の説明】
１…開口補助部材、２…缶蓋、３…パネル、４…タブ、８…指掛けリング部、９…シーミングウォール（巻締ウォール）、１０…板状部、１１…係止部、１２…突出部、１３…凹凸。
【図１】
0004093780.tif 000002
【図２】
0004093780.tif 000003
【図３】
0004093780.tif 000004